Podtech/llm-jp-corpus-v4-ja_patent huggingface dataset:
(57)【要約】【課題】  旅先で求めた土産物は、包装紙や箱の表に、その土地の名所・旧跡等が記されているのみで、中味を食べてしまえば思い出も何も残らない無意味なものとなる。【解決手段】  本発明は、例えば山形の土産物として紅花を選び、この紅花の種蒔きから、花摘み、紅餅の作成、染付けまでの作業の工程、或は歴史や行事等を順を追って絵や文とした紙片と菓子をセットとしたもので、これによって土地の歴史や文化を知ることができる。【選択図】  図１
2006223210.tif 000002
【特許請求の範囲】
【請求項１】
紅花の種蒔きから、花の時期、花摘み、色出し、紅餅の作成、染付け等までの工程を或は紅花に関係ある行事等を順を追ってそれぞれの絵や文で表わして紙片とし、これに飴や煎餅等の菓子を添えてセットしたことを特徴としたテーマを決めた土産物セット。
【請求項２】
紅花の種蒔きから紅餅の作成までの工程中の一場面場面を分割して菓子を添えて商品とする請求項１に記載のテーマを決めた土産物セット。
【発明の詳細な説明】
【技術分野】
【０００１】
本発明は、土地の名物や史跡などテーマを決め、絵や文で表現し、菓子と組合せる土産物セットに関する。
【背景技術】
【０００２】
一般に土産物は種々あるが、例えば菓子の場合などはその土地の名所旧跡や土地の景色などの絵が箱に画かれ、それに商品名や標章が書してあり、箱の中には饅頭や煎餅が入っているのが普通である。
【特許文献１】特開２００２−９５４１７号公報
【発明の開示】
【発明が解決しようとする課題】
【０００３】
このような一般に見られる土産物では、旅先で買い求めたとしても、その土地の情緒や思い出も残らず、旅に出たというのみであり、特に贈られる相手は中味を食べてしまえば、少しの印象も残らない。
【課題を解決するための手段】
【０００４】
発明者は、このような形ばかりの土産物に対して不満をいだき種々試作研究を重ねた結果、本発明の土産物セットを開発したものであって、例えば、山形に旅をしたときに、山形の特産が紅花であるとして、この生花は季節が限られ、長持ちせず、また紅花を表記した菓子は数多くあるが、前記したように箱蓋を開けてしまえば忘れ去られる。
【０００５】
そこで本発明は紅花の一生を絵や文字で表わし、昔から貴重品として珍重がられた紅（口紅）の由来や花の様子、染色等を絵や文で表わし、それぞれに紅花に関係した菓子を付けて、山形県を代表する紅花の歴史・文化と菓子を一体とすることによって、求める者も、贈られる者も、或は菓子を食べる者も山形の歴史・文化・情緒等を直かに知ることがで
きる。
【０００６】
この土産物のセットの形態としては、１０枚前後に揃えた風景や作業の工程を絵や文字として菓子と組合せて箱に納めるか、それぞれを分割して１個売りも可能とする。
【発明の効果】
【０００７】
前述のように本発明は山形の土産物に県を代表する紅花を用い、この紅花の由来や歴史、花から紅として染め上げるまでの作業工程を表わし、絵や文にすること、そしてこれに菓子を添えることによって紅花によって伝えられる山形の文化を知ることができるもので、この土産物を贈られる者は紅花を通して山形をよりよく親しみをもって知ることができ、従来からの土産物に比較してより印象に残る土産物としての効果がある。
【発明を実施するための最良の形態】
【０００８】
本発明の実施の形態を添付図面について説明すると、図は山形市の象徴である千歳山を背景とした畑地に農民が紅花の種を蒔いている絵であり、春彼岸の頃から始まり、花の盛りの絵、紅花の花摘みの絵、花餅の作成の絵等の作業の工程を順を追って作り、これに紅餅の形をした飴や紅花の形をした煎餅等を添えて包装したものをセットとして土産物として提供する。
【実施例】
【０００９】
添付図面により本発明の実施例を説明すると、図１は紅花の種蒔きの様子を表わした図であって、千歳山を背景とした山形市郊外の山間で、畑地を耕地して農民が種を蒔いている図であって時期としては春彼岸のあと、三月末から四月中旬のあたりで、整地を行いその後種を蒔きます。
【００１０】
この頃は桜も咲き、紅花は本葉が出る頃で間引きの作業を行う。この間引きした紅花はおひたしにして辛子醤油で食べると美味しく、この茹で汁は黄色となっていて白地のハンカチなどを染めることができます。
【００１１】
図２は紅花摘み風景の図であって、時期的には「半夏の一つ咲き」といわれ、半夏の日の頃やっと紅花が一つ咲く頃です。この花摘みは七月中旬から下旬の仕事ですが、昔は農家の大事な換金作業だったので競って花摘みをしたようです。
【００１２】
図３は花振りの図であって、後述する紅餅作りの前工程であって、摘んだ紅花をひろげ、葉などの雑物を取除いてから桶に入れ、花がかくれる程水を入れてからよく踏みつけ、これをザルに入れ流水で洗い流して黄気を流す作業です。
【００１３】
図４は、図３で洗い流した紅花を臼に入れ、ついて餅状にし、これを団子状に丸めて天日干しにします。この紅餅は保存がきき、きわめて高価なものであるといわれています。この紅餅からは紅を抽出して紅（口紅）や染色に用いるものである。
【００１４】
図５はこの前記の図１〜４に示す作業工程図に添付する菓子の実施例図であって、図示されているものは前述の紅餅を形どった飴であって、紅で色付けされて丸められた水飴の頂点に紅花の花びらの一片を飾ったものである。菓子としてはこのほか、紅花を形どった煎餅や落ガンなどが考えられる。
【産業上の利用可能性】
【００１５】
本発明は上述のように土産物であり、土地の歴史や文化を伝える土産物であって、その実施価値は大きい。また本発明にあっては紅花についてのすべてをセットして説明したが、これ以外でも芭蕉の奥の細道の山形県内のもの例えば、松島−尾花沢−山寺−最上川−象潟等の紀行も景色と菓子を組合せてシリーズものの土産物としても考えられる。
【図面の簡単な説明】
【００１６】
【図１】紅花の種蒔きの風景画
【図２】紅花の花摘みの風景画
【図３】花振りの作業図
【図４】紅餅の干し作業図
【図５】土産物としての菓子側面図
【符号の説明】
【００１７】
１  台紙
２  水飴玉
３  紅花花ビラ
【図５】
2006223210.tif 000003
【図１】
2006223210.tif 000004
【図２】
2006223210.tif 000005
【図３】
2006223210.tif 000006
【図４】
2006223210.tif 000007
(57)【要約】【課題】重い商品を収容した買物袋などを長時間運搬しても手の痛みなしに快適に使用できかつ握持部や握持紐の着脱も容易円滑にできさらにコスト的にも問題のない買物袋用手提げ用具を提供する。【解決手段】両端において開口する可撓性筒体からなり、該筒体の一端から他端に延在して１個の折線状スリットが形成されている。【選択図】図１
2006223642.tif 000002
【特許請求の範囲】
【請求項１】
両端において開口する可撓性筒体からなり、該筒体の一端から他端に延在して１個の折線状スリットが形成されていることを特徴とする買物袋用手提げ用具。
【発明の詳細な説明】
【技術分野】
【０００１】
この発明は買物袋用手提げ用具に関するものであり、さらに詳しくは特に重い商品を収容した買物袋の手提げ用具に関するものである。
【背景技術】
【０００２】
一般にスーパーなどで購入した商品はビニール製の袋に入れてその握持部を購入者が手でぶら下げて運搬する。またデパートや商店で購入した商品は大型の買物袋に入れてその握持紐を購入者が手でぶら下げて運搬する。
【０００３】
また両端にフックを形成した合成樹脂製の手提げ用具もデパートや商店でサービス品として購入者に提供されて広く一般に使用されている。
【発明の開示】
【発明が解決しようとする課題】
【０００４】
ところがビニール袋の握持部や買物袋の握持紐や手提げ用具は一般に非常に細い構造である。このために収容する商品が重かったり多数の商品を収容するとぶら下げて運搬する際に手が痛くなり持ち難いという欠点がある。特に長時間運搬する際にはかなりの苦痛となる。
【０００５】
また合成樹脂製の手提げ用具の場合には比較的剛性を有しているので、握持紐が太い場合には両端のフックへの着脱がし難い場合がある。
【０００６】
さらに合成樹脂製の手提げ用具は材料費や製造費が比較的掛るので、デパートや商店でサービス品として提供するにはコストが無視できないという面がある。
【０００７】
かかる従来技術の現状に鑑みてこの発明の目的は、重い商品を収容した買物袋などを長時間運搬しても手の痛みなしに快適に使用できかつ握持部や握持紐の着脱も容易円滑にできさらにコスト的にも問題のない買物袋用手提げ用具を、提供することにある。
【課題を解決するための手段】
【０００８】
このためこの発明の手提げ用具は両端において開口する可撓性筒体からなり、該筒体の一端から他端に延在して１個の折線状スリットが形成されていることを要旨とするものである。
【発明の効果】
【０００９】
可撓性材料からなるので買物袋などへの着脱も容易円滑であり、握持部や握持紐よりも太いので長時間重い商品を運搬しても手が痛くならなく、構造的にも簡単なのでコストも低いのでサービス品として提供するのに最適である。
【発明を実施するための最良の形態】
【００１０】
以下図面によりこの発明の実施例を説明する。構造の理解を容易とするがゆえに図中においてはスリットは開いた状態で示されているが、通常自然状態、つまりスリットを開けようと手で力を掛けない限りは、筒体の有する可撓性の故にスリットは閉じている。また使用時、つまり買物袋と係合しているときは、買物袋の重量と筒体の可撓性の故に用具全体は下側、つまり買物袋側に凹の若干湾曲状態になる。
【実施例１】
【００１１】
図１に示すのはこの発明の手提げ用具の一実施例であって、ゴムやビニールなどの可撓性材料からなる筒体１は両端において開口しており、その一端から他端に延在して屈曲部５を有した１個の折線スリット３が形成されている。
【００１２】
筒体１の寸法は特に限定されるものではないが、長さが１００ｍｍくらい、内径が１４ｍｍくらい、肉厚が２ｍｍくらいが望ましい。スリット幅はなるべく小さいのが望ましく、非使用状態ではスリットが閉じているくらいがよい。筒体自身が可撓性を有しているので、使用に際してスリットを幅方向に開くのは容易である。
【００１３】
折線スリット３の形状は、図１に示すようにクランク状でもよく、図２に示すように屈曲部５を２個有した凸字状でも良く、図３に示すように斜折状であってもよい。これらに限定されるものではないが、製造コストの点からしてあまり複雑な折線形状である必要はない。
【００１４】
使用に際しては、買物袋の握持部や握持紐を外側からスリット３に押し付ければ、筒体材料の可撓性の故にスリット３は簡単に開いて、握持部や握持紐を筒体１内に係合する。使用を止めるときは内側から握持部や握持紐をスリット３に押し付ければ、同様にスリットは開いて握持部や握持紐を簡単に筒体１から脱離する。
【００１５】
この発明においてはスリット３を折線形状とすることが重要である。もしスリット３が直線状であると、握持部や握持紐を筒体１内に入れた状態で買物袋を運搬しているときに、スリット３が下側にくると袋内の商品の重さで握持部や握持紐がスリット３を押し分けて外れて買物袋が手提げ用具から脱離してしまう。
【００１６】
ところがスリット３が折線状だと、仮にスリット３が下側にきても、握持部や握持紐は筒体１の内周面のどこかと圧接状態となるから、スリット３から外れることはない。
【産業上の利用可能性】
【００１７】
この発明の手提げ用具は構造的に簡単なので製造コストが低廉である。また材料的にも安価なものを用いることができる。したがって価格も安く、デパートや商店でサービス品として大量に使用するのに好適である。
【図面の簡単な説明】
【００１８】
【図１】この発明の手提げ用具の一実施例を示す斜視図である。
【図２】同じく他の実施例を示す平面図である。
【図３】同じく他の実施例を示す平面図である。
【符号の説明】
【００１９】
１：  筒体
３：  折線スリット
５：  屈曲部
【図１】
2006223642.tif 000003
【図２】
2006223642.tif 000004
【図３】
2006223642.tif 000005
(57)【要約】      （修正有）【課題】旅行中の乗り物や昼寝の時などに、安眠するために、人から寝顔を見られることなく呼吸が楽で、口紅等の汚れが付着せず、お洒落なアイマスクを課題とした。【解決手段】下縁が開口したアイマスク形の袋体１に、連結して袋体内部へ収納可能な下顔カバー２と、袋体の両側縁に連結した一対の耳掛け部３とからなる下顔カバー付きアイマスクで、下顔カバー２は、鼻の凸部に合わせて立体性を持たせ、上縁中央部が上方左右へ彎曲した平面形状の布体を上方にギャザーを設けて立体形状にしたために、呼吸が楽で、口紅等の汚れが付着せず安眠できるようにした。【選択図】図１
2006223608.tif 000002
【特許請求の範囲】
【請求項１】
下縁が開口したアイマスク形の袋体と、この袋体の下縁に連結して袋体内部へ収納可能な下顔カバーと、袋体の両側縁に連結した一対の耳掛け部とからなる下顔カバー付きアイマスクであって、前記下顔カバーは、鼻の当接部が立体成形されてなる事を特徴ととする下顔カバー付きアイマスク。
【請求項２】
請求項１記載の下顔カバーの立体成形は、上縁中央部が上方左右へ彎曲した平面形状の布体を、上方にギャザーを設けて前記袋体と連結してなる下顔カバー付きアイマスク。
【請求項３】
請求項１及び２記載のアイマスクの表面素材を、色物や柄物のレース等にする事により、ファッション性を高め、呼吸を楽にする事を特徴としたアイマスク請求項１請求項２記載の下顔カバー付きアイマスク。
【発明の詳細な説明】
【技術分野】
【０００１】
本発明は、汽車や飛行機、船舶等の乗り物の中や、昼寝などで睡眠を取る時、寝顔を人に見られることなく、呼吸が楽で、安眠でき、ファッション性もあるアイマスクで、アイマスクの下縁に収納部があり、立体的な下顔カバー付きアイマスクに関するものである。
【背景技術】
【０００２】
従来も着脱自在のカバー付きアイマスクもあるが、いずれもカバーが平面で顔に密着して呼吸が苦しく、アイマスクにカバーを装着する場合も、係止部材に、面ファスナー等を用いたりして操作が面倒である。  
【０００３】
【特許文献１】特開２００１−１２９０１４
【特許文献２】特開２００４−２９８５７９
【特許文献３】実開平０５−０６２２２６
【発明の開示】
【発明が解決しようとする課題】
【０００４】
旅行中の乗り物や昼寝の時などに、安眠するために、人から寝顔を見られることなく、呼吸が楽で、口紅等の汚れが付着せず、お洒落なカバー付きアイマスクを課題とした。
【課題を解決するための手段】
【０００５】
本発明は、この様な従来の構成が有していた問題を解決しようとするものであり、下縁が開口したアイマスク形の袋体に、連結して袋体内部へ収納可能な下顔カバーと、袋体の両側縁に連結した一対の耳掛け部とからなる下顔カバー付きアイマスクである。
【０００６】
下顔カバーは、鼻の凸部に合わせて当接部に立体性を持たせ、上縁中央部が上方左右へ彎曲した平面形状の布体を上方にギャザーを設けて立体形状にしたのために、呼吸が楽で、口紅等の汚れが付着せず安眠できるようにした。
【０００７】
表面素材を、色物柄物レース等にする事により、通気孔を多くし、ファッション性を高め、より呼吸を楽にした。アイマスクの顔に接触する裏面には、肌に優しい素材を用い、暗色、主に黒っぽい素材を用いる事によって、光を遮断する事を特徴とした下顔カバー付きアイマスクである。  
【発明の効果】
【０００８】
下顔カバー付きアイマスクの下顔カバーは、鼻の凸部に合わせて、上縁中央部が上方左右に彎曲した平面形状の布体を、上方にギャザーを設けて立体成形にしているので、呼吸が楽で口紅等の汚れが付着せず安眠できるようにした。
【０００９】
表面素材を、色物柄物レース等にする事により、通気孔を多く有し、ファッション性を高め、より呼吸を楽にした。アイマスクの顔に接触する裏面には、肌に優しい素材を用い、暗色、主に黒っぽい素材を用いる事によって、光を遮断出来、人に顔を見られることなく安眠する事が出来るようにした。
【００１０】
下縁が開口したアイマスク形の袋体に、下顔カバーを連結して袋体内部へ収納可能にしたために、下顔カバーを収納及び取り出しが簡単出来るようにした。
【００１１】
アイマスク袋体の両側縁を延長して、耳掛け部材を挿通する通孔部を設け、耳掛け部材を挿通しているので、髪型にふれる事なく、アイマスクを耳に掛ける事が出来るようにした。
【発明を実施するための最良の形態】
【００１２】
本発明の実施の形態を実施例にもとづき図面を参照して説明する。図１には、本発明の正面図を示し、図２は使用時の斜視図により示している。本実施例では、下縁が開口したアイマスク形の袋体１に、下顔カバー２を連結して袋体内部へ収納可能にして、下顔カバー２を収納及び取り出しが簡単に出来るようにしてある。
【００１３】
下顔カバー２は、鼻の凸部に合わせて、上縁中央部が上方左右に彎曲した平面形状の布体を、上方にギャザー４を設けて立体成形にしているので、呼吸が楽で口紅等の汚れが付着せず安眠できるようにしている。
【００１４】
アイマスク袋体１の両側縁を延長して、耳掛け部材３を挿通する通孔部５を設け、耳掛け部材３を挿通しているので、髪型にふれる事なく、アイマスクを耳に掛けるので楽である。
【００１５】
表面素材を、色物や柄物レース等にする事により、通気孔を多く有し、ファッション性を高め、立体成形にしているので、より呼吸が楽で安眠しやすい。アイマスクの顔に接触する裏面には、肌に優しい素材を用い、暗色、主に黒っぽい素材を用いる事によって、光を遮断出来、人に顔を見られることなく安眠する事が出来るようにしてある。
【００１６】
アイマスク袋体１の両側縁を延長して、耳掛け部材３を挿通する通孔部５を設け、耳掛け部材３を挿通しているので、髪型にふれる事なく、アイマスクを耳に掛けるので楽である。
【００１７】
図３、図4は、下顔カバー付きアイマスクの裏面である。アイマスクの裏面６は下縁の開口部７を設けているので、表面のアイマスクに下顔カバー２を連結して袋体内部への収納を可能にしている。そのため下顔カバー２の収納及び取り出しが簡単できる。
【００１８】
図5は、アイマスク裏面６の下縁の開口部７より下顔カバー２を、袋体内部へ収納して、軽く三つ折りにして小袋８に入れ旅行の時に携帯出来るようにした小袋に収納した下顔カバー付きアイマスクの透視図  
【図面の簡単な説明】
【００１９】
【図１】下顔カバー付きアイマスクの正面図
【図２】使用時の斜視図
【図３】下顔カバー付きアイマスクの背面図
【図４】下顔カバーを収納した背面図
【図５】小袋に収納した下顔カバー付きアイマスクの透視図
【符号の説明】
【００２０】
１    アイマスク袋体
２    下顔カバー
３    耳掛け部材
４    ギャザー
５    通孔部
６    アイマスク裏面
７    下縁の開口部
８    小袋
【図１】
2006223608.tif 000003
【図２】
2006223608.tif 000004
【図３】
2006223608.tif 000005
【図４】
2006223608.tif 000006
【図５】
2006223608.tif 000007
(57)【要約】【課題】ブラケットを固定するネジの頭を正面から見えないにように隠し、かつ、収納ボックスとして機能するカウンターの固定構造を提供する。【解決手段】水平支持片１１と垂直固定片１２とからなるブラケット１と上方が開口した箱型収納部２とからなり、上記垂直固定片１２は壁面Ｗに固定用ネジ４で固定されるとともに、上記箱型収納部２はカウンターを支持する水平支持片１１にスライド自在に吊設され、上記箱型収納部２の前面板２１はブラケット１の正面を覆って納まるようにされたカウンターの固定構造Ａ。【選択図】図１
2006223609.tif 000002
【特許請求の範囲】
【請求項１】
水平支持片と垂直固定片とからなるブラケットと上方が開口した箱型収納部とからなり、上記垂直固定片は壁面に固定用ネジで固定されるとともに、上記箱型収納部はカウンターを支持する水平支持片にスライド自在に吊設され、上記箱型収納部の前面板はブラケットの正面を覆って納まるようにされたカウンターの固定構造。
【請求項２】
上記ブラケットの水平支持片の左右両端部にスライドレールを垂設するとともに、上記箱型収納部の開口部に延設された係止片を上記スライドレールにスライド自在に係止してなる請求項１に記載のカウンターの固定構造。
【発明の詳細な説明】
【技術分野】
【０００１】
本発明は、洗面化粧台等のカウンターを支持し、壁面等に固定するカウンターの固定構造に関する。
【背景技術】
【０００２】
従来、洗面化粧台等のカウンターを固定する固定金具の構造に関しては、種々の提案が開示されており、例えば、下記特許文献をあげることができる。
【特許文献１】実公平６−１５５４６号公報（第１〜３頁、第１図、第２図）
【発明の開示】
【発明が解決しようとする課題】
【０００３】
上記特許文献１には、その第１図、第２図から明らかなように、ブラケットの垂直片を壁面等にネジで固定し、水平片でカウンターを支持する構造が開示されている。しかしながら、上記カウンターの支持構造においては、ネジの頭が正面に露出するため、見栄えが悪いという問題がある。本発明はこのような問題を解決して、カウンターを固定するネジの頭を見栄えよく隠し、かつ、小物を収納するための収納ボックスを取り付けることのできるカウンターの固定構造を提供することをその課題とする。
【課題を解決するための手段】
【０００４】
上記課題を解決するために、本発明においては、つぎのような技術的手段を講じている。すなわち、本発明によれば、水平支持片と垂直固定片とからなるブラケットと上方が開口した箱型収納部とからなり、上記垂直固定片は壁面に固定用ネジで固定されるとともに、上記箱型収納部はカウンターを支持する水平支持片にスライド自在に吊設され、上記箱型収納部の前面板はブラケットの正面を覆って納まるようにされたカウンターの固定構造が提供される。
【０００５】
また、上記ブラケットの水平支持片の左右両端部にスライドレールを垂設するとともに、上記箱型収納部の開口部に係止片を延設し、この係止片を上記スライドレールにスライド自在に係止して、上記箱型収納部を吊設することが好ましい。
【発明の効果】
【０００６】
請求項１に記載の発明は上記のとおりであり、上方が開口した箱型収納部はカウンターを支持する水平支持片にスライド自在に吊設され、上記箱型収納部の前面板はブラケットの正面を覆って納まるため、垂直固定片を壁面に固定する固定用ネジの頭を見映えよく隠すことができる。
【０００７】
上記箱型収納部の開口部に延設された係止片をブラケットの水平支持片の左右両端部に垂設されたスライドレールにスライド自在に係止することにより、この箱型収納部を小物を収納するための収納ボックスとして、便利に使用することができる。
【発明を実施するための最良の形態】
【０００８】
以下、本発明の実施形態について図面を参照して、詳細に説明する。図１は、本発明にかかるカウンターの固定構造Ａを示す分解斜視図である。上記カウンターの固定構造Ａは、水平支持片１１と垂直固定片１２とからなるブラケット１と上方が開口し、前面板２１を備えた箱型収納部２とからなる。上記水平支持片１１はカウンターを支持し、上記垂直固定片１２は壁面に固定用ネジ４で固定され、このようにしてブラケット１はカウンター固定金具として機能する。
【０００９】
一方、本実施形態においてはブラケット１の水平支持片１１の左右両端部にスライドレール１３が垂設され、上記箱型収納部２の開口部に係止片２２が延設されている。上記係止片２２をスライドレール１３に嵌入することによって、箱型収納部２は水平支持片１１にスライド自在に吊設される。図２は、上記箱型収納部２をスライドレール１３に沿ってスライドさせ、ブラケット１の正面に納めた状態を示す斜視図である。図２から、垂直固定片１２を壁面に固定する固定用ネジ４の頭は隠され、箱型収納部２の前面板２１がブラケット１の正面に見栄えよく納まっていることが明らかである。
【００１０】
図３は、本発明にかかるカウンターの固定構造Ａを洗面化粧台のオープンタイプのカウンター３に適用した例を示す斜視図である。図３によく示されているように、上記カウンター３は水平支持片１１によって支持され、垂直固定片１２は箱型収納部２によって隠された固定用ネジ４によって壁面Ｗにしっかりと固定される。このように、箱型収納部２は固定用ネジ４の頭を隠しブラケット１の正面に見映えよく納まるとともに、洗面化粧台用の小物を収納するための収納ボックスとして使用することができる。なお、上記カウンター３は種々のものを載置する載置台として、あるいはボウルを取り付けて洗面カウンターとして使用できる。さらに、上記カウンターの固定構造Ａは洗面化粧台のみならず、例えば、キッチン等のカウンターにも適用できる。
【図面の簡単な説明】
【００１１】
【図１】本発明にかかるカウンターの固定構造を示す分解斜視図である。
【図２】本発明にかかる箱型収納部をスライドさせブラケットの正面に納めた状態を示す斜視図である。
【図３】本発明にかかるカウンターの固定構造を洗面化粧台のオープンタイプのカウンターに適用した例を示す斜視図である。
【符号の説明】
【００１２】
Ａ          本発明にかかるカウンターの固定構造
１          ブラケット
１１        水平支持片
１２        垂直固定片
１３        スライドレール
２          箱型収納部
２１        前面板
２２        係止片
３          カウンター
４          固定用ネジ
Ｗ          壁面
【図１】
2006223609.tif 000003
【図２】
2006223609.tif 000004
【図３】
2006223609.tif 000005
(57)【要約】      （修正有）【課題】  駆動力伝達部材の回転効率を上げることにより、エンジンや風力発電装置等の回転機器の省エネ化を図り、温暖化効果ガスや窒素酸化物の排出量を大幅に削減する。【解決手段】  駆動力伝達部材としての歯車１、車輪２、又はローター３に切れ目５を入れたり、クランクアーム４を曲げたりすることにより、回転効率を上げる。【選択図】  図１
2006234158.tif 000002
【特許請求の範囲】
【請求項１】
（イ）０．５÷円周率＝回転率。（約０．１５９１５４９４３）
（ロ）回転率÷４５度×方位度×個数＝物体の各回転率。（方位度の上限は４５度と１３５度で、下限は０度と９０度と１８０度である）
（ハ）（１＋各回転率）×（１±各回転率）＝回転効率。（増加と減少）
（ニ）物体の強度は、回転効率に比例する。
（ホ）物体が自力で回転すると駆動力は０．５倍となり  他力で回転すると被動力は１．０倍となる。
（ヘ）物体が自力で動くと駆動力は約０．３７２１２倍となり、他力で動くと被動力は約０．７４４２５倍となる。
（ト）駆動力×回転効率＝駆動力率。（曲げた方向に回転すると増加し、逆回転すると減少する）
（チ）被動力×回転効率＝被動力率。（曲げた方向に回転すると減少し、逆回転すると増加する）。
（リ）（駆動力率＋被動力率）÷２＝動力率。
（ヌ）出動力率×受動力率＝伝動力率。
（ル）１÷伝動力率＝消費力率。
以上の構成によりなる回転率から消費力率までの１１法則。
【請求項２】
アームを曲げるか切れ目（５）を入れた、腕曲車輪（２）、腕曲プーリ等は各回転率が増加して消費力率は減少する、又、アームを曲げるか切れ目を入れ、アームか切れ目の個数を増やした、腕曲歯車（１）、腕曲ローター（３）、腕曲クランク（４）、腕曲翼等は各回転率が大幅に増加して消費力率は大幅に減少するが、その数値が一連の計算式で出せる、回転率から消費力率までの１１法則。
【発明の詳細な説明】
【技術分野】
【０００１】  この発明は、回転率から消費力率までの１１法則に関するものである。
【背景技術】
【０００２】  従来は、回転率そのものが存在しない。
【発明が解決しようとする課題】
【０００３】  これらには次のような欠点があった。
（イ）回転率がないので、各回転率から消費力率までが計算できない。
以上の欠点を解決するためになされたものである。
【発明を解決するための手段】
【０００４】  アームを曲げるか切れ目（５）を入れた、腕曲車輪（２）、腕曲プーリ等は各回転率が増加して消費力率は減少する、又、アームを曲げるか切れ目を入れ、アームか切れ目の個数を増やした、腕曲歯車（１）、腕曲ローター（３）、腕曲クランク（４）、腕曲翼等は各回転率が大幅に増加して消費力率は大幅に減少するが、その数値が一連の計算式で出せる、回転率から消費力率までの１１法則である。
【発明を実施するための最良の形態】
【０００５】  以下、本発明の実施の形態を説明する。
（イ）腕曲車輪（２）、腕曲プーリ等は、アームを曲げるか切れ目（５）を入れる。
（ロ）腕曲歯車（１）、腕曲ローター（３）、腕曲クランク（４）、腕曲翼等は、アームを曲げるか切れ目を入れ、アームか切れ目の個数を増やす。
（ハ）方位度には上限があるが、アームと切れ目の個数には上限がない。
【発明の効果】
【０００６】  （イ）各回転率から消費力率までの数値が、一連の計算式で出せる。
（ロ）各回転率を増加すれば、回転機器などの省エネが大幅に図れ、自動車等の燃費は大幅に良くなる。
（ハ）燃費が良くなれば、温暖化効果ガスや窒素酸化物の排出量が大幅に削減できる。
（ニ）各回転率が増加すれば、各種エンジンや各種発電の増エネが図れる。
（ホ）歯数が１００個の腕曲歯車と腕曲翼を合体すれば、風力歯車発電等による創エネが図れる。
【図面の簡単な説明】
【図１】  本発明の腕曲歯車の左側面図
【図２】  本発明の腕曲車輪の左側面図
【図３】  本発明の腕曲ローターの左側面図
【図４】  本発明の腕曲クランクの左側面図
【符号の説明】
１  腕曲歯車
２  腕曲車輪
３  腕曲ローター
４  腕曲クランク
５  切れ目
６  タイヤ
【図１】
2006234158.tif 000003
【図２】
2006234158.tif 000004
【図３】
2006234158.tif 000005
【図４】
2006234158.tif 000006
(57)【要約】【課題】  ラジエータ運搬の労力を軽減し、かつ運搬用の台車等を用意する必要のないキャスタ付ラジエータを提供する。【解決手段】  多数のチューブ２とフィン３とからなる熱交換コア部４と、チューブの両端部に配設されるヘッダタンク５とから構成されるラジエータ１に、搬送用のキャスタ６を取り付けている。キャスタ６は、例えば、熱交換コアの両側に設けられるサイドプレート８の下部に適宜の固定手段によって取り付けられる。キャスタは、好ましくは着脱自在に取り付けられている。【選択図】      図１
2006234226.tif 000002
【特許請求の範囲】
【請求項１】
流体通路をなす、並列に配置された多数のチューブ（２）と前記チューブ間に設けられるフィン（３）とからなる熱交換コア部（４）と、前記チューブ（２）の長手方向両端部に配設され、流体を分配集合させるヘッダタンク（５）とから構成されるラジエータ（１）において、
前記ラジエータ（１）に搬送用のキャスタ（６）を取り付けたことを特徴とするキャスタ付ラジエータ。
【請求項２】
前記キャスタ（６）が前記ラジエータ（１）に着脱自在に取り付けられていることを特徴とする請求項１に記載のキャスタ付ラジエータ。
【発明の詳細な説明】
【技術分野】
【０００１】
本発明は、運搬を容易にしたキャスタ付ラジエータに関する。
【背景技術】
【０００２】
従来、トラック用ラジエータのように大型のラジエータは、重量が重く、ラジエータ単体で５〜１５kg程度の重量がある。このラジエータを車両に組み付ける際には、図２に示すように、梱包箱ＢからラジエータＡを取り出し、作業者がサブ組付ラインに人力でラジエータＡを運搬し、その後、サブ組付ラインからラジエータＡを台車Ｃに載せて組付ラインに運搬することが一般的に行われている。
【０００３】
このため、サブ組付ラインまでの人力によるラジエータの運搬は、重労働となり、疲労が大きいという問題がある。また、サブ組付ラインから組付ラインまでのラジエータの搬送には、台車が必要であるという問題がある。
【発明の開示】
【発明が解決しようとする課題】
【０００４】
本発明は、上記問題に鑑みてなされたものであり、その目的は、ラジエータ運搬の労力を軽減し、かつ運搬用の台車等を用意する必要のないキャスタ付ラジエータを提供することである。
【課題を解決するための手段】
【０００５】
本発明は、前記課題を解決するための手段として、特許請求の範囲の各請求項に記載のキャスタ付ラジエータを提供する。
請求項１に記載のキャスタ付ラジエータは、多数のチューブ２とフィン３とからなる熱交換コア部４と、チューブ２の両端部に配設されるヘッダタンク５とから構成されるラジエータ１に、搬送用のキャスタ６を取り付けたものであり、これにより、大型で重量のあるラジエータ１であっても、搬送のための労力を軽減でき、作業者の疲労を少なくすることができる。
【０００６】
請求項２のラジエータは、キャスタ６をラジエータ１に着脱自在に取り付けたものであり、これにより、キャスタの再利用を図ることができ、コストの削減が可能である。
【発明を実施するための最良の形態】
【０００７】
以下図面に基づいて本発明の実施の形態のキャスタ付ラジエータについて説明する。図１は、本発明の実施の形態のキャスタ付ラジエータの全体構造を示す斜視図とその一部拡大図である。ラジエータ１は、並列に配置され、内部を流体（エンジン冷却水）が流通する複数のチューブ２と、これらチューブ２間に設けられる波状又は板状のフィン３と、チューブ２の両端部に配設され、流体を分配集合させるヘッダタンク５とから主に構成されている。ラジエータ１は、チューブ２内を通る流体とチューブ２外のフィン３を通る気体との間で熱交換が行われ、ヘッダタンク５は、複数本のチューブ２内を流通する流体を分配集合させている。
【０００８】
図１において、上側のヘッダタンク５は流入側ヘッダタンク５Ａであり、流入側ヘッダタンク５Ａの側面には、エンジンからの冷却水を導入するための流入パイプ５１が接続されており、かつ上面には、冷却水を補給するための開口部が形成され、キャップ７にて閉塞されている。下側のヘッダタンク５は流出側ヘッダタンク５Ｂであり、流出側ヘッダタンク５Ｂの側面には、冷却水をエンジンに供給する流出パイプ５２が接続されている。
【０００９】
チューブ２とフィン３とで熱交換コア部４を構成しており、この熱交換コア部４の両側面には、コア部４を保護するための断面Ｕ字形のサイドプレート８が、両ヘッダタンク５Ａ，５Ｂ間に渡って設けられている。また、熱交換コア部４の後面には、フィン３を通る気体を導くためのファンシュラウド９が、ラジエータ１に取り付けられている。
【００１０】
本発明のラジエータ１では、上記構成に加えてキャスタ（ローラ）６が取り付けられている。このキャスタ６は、２つのサイドプレート８のそれぞれの下部に、図２に示すように適宜の固定具によって取り付けられている。これにより、単にラジエータ１を押してやるだけで、容易にラジエータ１を運搬することができる。好ましくは、キャスタ６はラジエータ１に着脱可能に取り付けられる。これによってキャスタ６の再利用を図ることができる。
【００１１】
上記説明においては、両ヘッダタンク５Ａ，５Ｂが上下に配置されるラジエータ１で説明しているが、両ヘッダタンク５Ａ，５Ｂが左右に配置される方式のラジエータ１においても、本発明は利用可能であって、その場合は、下側に配置されるサイドプレート８の両端部にキャスタ６を取り付ければよい。
また、キャスタ６は、サイドプレート８以外の部位に取り付けることも可能であって、例えば、ラジエータを自動車に搭載する際のブラケット部等でもよい。
【００１２】
更に本発明は、ラジエータ以外のコンデンサ、オイルクーラ等の熱交換器にも適宜利用可能である。
【００１３】
以上説明したように、本発明では、ラジエータにキャスタを取り付けたので、梱包箱からラジエータを取り出し、サブ組付ラインまでラジエータを引いて運搬することが可能であり、作業者の疲労を軽減することができる。また、サブ組付ラインから組付ラインまで台車を使用することなく、運搬することができる。更には、キャスタを繰り返し再利用することも可能である。
【図面の簡単な説明】
【００１４】
【図１】本発明の実施の形態のキャスタ付ラジエータの全体構成を示す斜視図及びその一部拡大図である。
【図２】従来のラジエータとその運搬作業を説明する図である。
【符号の説明】
【００１５】
１    ラジエータ
２    チューブ
３    フィン
４    熱交換コア部
５，５Ａ，５Ｂ    ヘッダタンク
６    キャスタ
８    サイドプレート
９    ファンシュラウド
【図１】
2006234226.tif 000003
【図２】
2006234226.tif 000004
(57)【要約】【課題】      子供の誘拐対策として非常ブザーやＧＰＳ機能付き携帯電話あるいは小型のＧＰＳがあるが、これらは落として紛失や他の者が容易に電源を切ることができるため、位置の確認や非常時の対応が不十分であった。【解決手段】  普段腕につけている時計にＧＰＳ端末を内臓することで、位置確認ができ、非常時も効力を発揮する。【選択図】  図１
2006234778.tif 000002
【特許請求の範囲】
【請求項１】
ＧＰＳ（人工衛星）端末を内臓した腕時計。
【請求項２】
前記腕時計は、パソコンや携帯電話等で居場所を確認できる他、非常時に押すボタンも設けられたことを特徴とする請求項１記載の腕時計。
【発明の詳細な説明】
【技術分野】
【０００１】  この発明は、腕時計に内臓したＧＰＳ機能により位置確認に関する。
【背景技術】
【０００２】  従来の、持ち運びＧＰＳ機能による位置確認や携帯電話に内臓されたものは、紛失や携帯電話電源を切られた場合、位置確認できないものである。
【発明の開示】
【発明が解決しようとする課題】
【０００３】  子供の誘拐対策として非常ブザーやＧＰＳ機能付き携帯電話あるいは小型のＧＰＳがあるが、これらは紛失や容易に電源を切ることができるため位置が確認できなくなる可能性が大であった。
そこで、この発明は、ＧＰＳ機能をもつ器機が身体から離れることの防止を提供することを課題とする。
【課題を解決するための手段】
【０００４】  以上の課題を解決するために、第一発明は、腕時計にＧＰＳ機能を内蔵させることを特徴としている。
また、第二発明は、非常用ボタンを設けたことにより位置確認の他、緊急時も効力を発揮する。
【発明の効果】
【０００５】  第一発明、又は第二発明によれば、誘拐や遭難、急病、老人の徘徊などの場合、位置確認や当該場所へ他の者が迅速に救助に行ける。
【発明を実施するための最良の形態】
【０００６】  この発明の一実施形態を、図１に示す。
腕時計にＧＰＳ機能を内臓することで同一の電源（太陽電池等）で動く。【０００７】「実施形態の効果」
この実施形態によれば、他の者に電源を切られることがなくなる。非常時はボタンを押すだけの簡単な操作で良い。【０００８】「他の実施形態」
図１の実施形態では、非常時ボタンは時刻ネジの右側であったが、他の実施形態では左側でもよい。
【図面の簡単な説明】
【０００９】
【図１】この発明の実施形態を示す斜視図である。
【符号の説明】
【００１０】  １  腕時計本体          ２  非常時ボタン
【図１】
2006234778.tif 000003
(57)【要約】【課題】可及的に長時間を一定の感度を維持することができる、芳香族系溶剤や麻薬などを発色反応により検出するための試薬を提供すること。【解決手段】シリカゲル粒子を圧縮固化した基体に、濃硫酸にパラホムルアルデヒドを溶解させる。【選択図】なし【特許請求の範囲】
【請求項１】
濃硫酸にパラホムルアルデヒドを添加、溶解させてなる芳香族ガス検出用試薬。
【請求項２】
シリカゲル粒子を圧縮固化した基体に、濃硫酸にパラホムルアルデヒドを溶解させた試薬を含侵させた芳香族ガス検出用検知材。
【発明の詳細な説明】
【技術分野】
【０００１】
本発明は、トルエン、ベンゼン、キシレン等の芳香族系溶剤や麻薬などを発色反応により検出するための試薬に関する。
【背景技術】
【０００２】
濃硫酸にホルマリン液を添加したマルキス試薬は、芳香族系溶剤や麻薬を高い感度で検出できるものの、溶解しているホルムアルデヒドが容易に揮散するため、時間とともに感度が変化するという問題がある。
【発明の開示】
【発明が解決しようとする課題】
【０００３】
本発明はこのような問題に鑑みてなされたものであって、その目的とするところは、長時間に亘って感度を一定に維持することができる有機ガス検出用試薬、及び検知材を提供することである。
【課題を解決するための手段】
【０００４】
このような問題を解消するために本発明においては、濃硫酸にパラホムルアルデヒドを添加、溶解させるようにした。
【発明の効果】
【０００５】
パラホムルアルデヒドは、固体でホルムアルデヒドに比較して分子量が大きいため、揮散が少なく長時間に亘って感度を維持する。
【発明を実施するための最良の形態】
【０００６】
そこで以下に本発明の詳細を実施例に基づいて説明する。
濃硫酸1mLにパラホルムアルデヒド３０ng乃至３００ngを添加して溶解させて試薬を調製する。
この試薬を、耐硫酸性と吸水性とを備えた基材、例えばガラス基板にシリカゲル粒子をコーテングしたり、また検知管を構成する粒子に、上記試薬を含侵させて検知材を製作する。
トルエンを標準エアにその濃度を変えて混合して標準ガスを調製し、上記検知材に吹き付けると検知材の光学濃度がトルエンの濃度に対応して高くなる。
【０００７】
一方、複数個の基材に同時に試薬を塗布、含侵させて複数の検知材を作成し、一定時間毎に、同一時期に作成した検知材の１つに一定濃度の標準ガスを吹き付けて、標準ガスに対する反応色を検出したところ、製作からの時間の経過にかかわりなくトルエンの濃度にだけ依存し、製作からの時間にかかわり無くほぼ一定の感度を示した。
これに対して、ホルマリン液を使用した従来の試薬では、製作後の時間経過とともに、反応色の光学濃度が低下、つまり製作からの時間の経過と共に感度が低下した。
【０００８】
つぎに上記試薬に適した検知材としては、圧搾で固化し、商業的に入手しやすい粒径、例えば３〜１５μｍのシリカゲル粒子に、これを湿潤させることができる程度に上記試薬を添加、吸収させて、タブレット状に固化する程度の圧力をかけて製造することができる。
【０００９】
この実施例によれば、シリカゲル粒子のそれぞれに均等にかつ微量の試薬が吸収されているため、濃硫酸が空気中の湿気を吸収しても、濡れが生じることが無く、人体に危害を及ぼしたり、また光学濃度測定手段を破損するようなことにはならない。
【００１０】
なお、上述の実施例においては、シリカゲル粒子に予め濃硫酸を含侵させてから、固化させるようにしているが、シリカゲル粒子だけをタブレット状に固化させた後に、各シリカゲル粒子が吸収しきれる程度の試薬を滴下しても同様の作用を奏する。
(57)【要約】【課題】  冷蔵庫のインバータ制御圧縮機において、圧縮機の起動時の圧縮機内部での潤滑油の給油が充分に行えるようにする。更に、圧縮機の起動時の液バックを低減する事を目的とする。【解決手段】  負荷に応じて回転数を制御するインバータ制御の圧縮機を備える冷蔵庫の圧縮機回転数制御方法において、起動時に予め定められた第１所定期間だけ潤滑油を給油できる第１の回転数で回転させ、その後、予め定められた第２所定期間だけ前記第１の回転数より低い第２の回転数で回転させることを特徴とする。【特許請求の範囲】
【請求項１】
負荷状況に応じて回転数を可変するインバータ制御の圧縮機を備える冷蔵庫の圧縮機回転数制御方法において、
前記負荷状況に関係なく起動時に予め定められた第１所定期間だけ潤滑油を給油できる第１の回転数で回転させ、その後、前記負荷状況に関係なく予め定められた第２所定期間だけ前記第１の回転数より低い第２の回転数で回転させることを特徴とする冷蔵庫の圧縮機回転数制御方法。
【請求項２】
負荷状況に応じて回転数を可変するインバータ制御の圧縮機を備える冷蔵庫の圧縮機回転数制御方法において、
前記負荷状況に関係なく起動時に予め定められた第１所定期間だけ潤滑油を充分に給油できる第１の回転数で回転させ、その後、前記負荷状況に関係なく予め定められた第２所定期間だけ前記第１の回転数より低い潤滑油を充分に給油できない第２の回転数で回転させることを特徴とする冷蔵庫の圧縮機回転数制御方法。
【発明の詳細な説明】
【技術分野】
【０００１】
本発明は、インバータ制御の圧縮機を備える冷蔵庫の圧縮機回転数制御方法に関する。
【背景技術】
【０００２】
インバータ制御の圧縮機を備える冷蔵庫では、冷却負荷の大小に応じて、圧縮機の回転数を制御して、冷却効率をあげている。
【０００３】
ところで、冷蔵庫の圧縮機の起動時においては、圧縮機への液バックを防止するために、起動時の最初の所定時間の間、圧縮機を最小回転数で回転させてから、負荷に応じた最適の回転数に変更する冷蔵庫が知られている（特許文献１参照）。
【０００４】
また、起動時に、潤滑油（冷凍機油）の給油を充分に行うために、圧縮機の回転数を充分に上げて始動する冷蔵庫が知られている（特許文献２参照）。
【特許文献１】特開平９−１９６５３５号公報
【特許文献２】特開第３６１６２４９号公報
【発明の開示】
【発明が解決しようとする課題】
【０００５】
このように従来の冷蔵庫にあっては、始動時に圧縮機の回転数を上げて潤滑油の給油を充分に行う必要がある。しかし、始動時に圧縮機の回転数を上げると圧縮機へ液バックを起こしやすくなるという問題点がある。
【課題を解決するための手段】
【０００６】
本発明は上記の問題点を解決するために、負荷状況に応じて回転数を可変するインバータ制御の圧縮機を備える冷蔵庫の圧縮機回転数制御方法において、前記負荷状況に関係なく起動時に予め定められた第１所定期間だけ潤滑油を給油できる第１の回転数で回転させ、その後、前記負荷状況に関係なく予め定められた第２所定期間だけ前記第１の回転数より低い第２の回転数で回転させることを特徴とする。
【０００７】
本発明は上記の問題点を解決するために、負荷状況に応じて回転数を可変するインバータ制御の圧縮機を備える冷蔵庫の圧縮機回転数制御方法において、前記負荷状況に関係なく起動時に予め定められた第１所定期間だけ潤滑油を充分に給油できる第１の回転数で回転させ、その後、前記負荷状況に関係なく予め定められた第２所定期間だけ前記第１の回転数より低い潤滑油を充分に給油できない第２の回転数で回転させることを特徴とする。
【発明の効果】
【０００８】
以上説明したように構成されている本発明の冷蔵庫の圧縮機回転数制御方法によれば、起動初期の一定時間の間、圧縮機は短時間だけ、高い回転数で回転して潤滑油の給油を行い、その後液バックが起こらないように、回転数を低くするので、液バックを惹起せずに潤滑油の給油を行うことができる。
【発明を実施するための最良の形態】
【０００９】
負荷状況に応じて回転数を可変するインバータ制御の圧縮機を備える冷蔵庫の圧縮機回転数制御方法において、本発明では、前記負荷状況に関係なく起動時に予め定められた第１所定期間だけ潤滑油を給油できる第１の回転数で回転させ、その後、前記負荷状況に関係なく予め定められた第２所定期間だけ前記第１の回転数より低い第２の回転数で回転させるので、液バックを惹起せずに潤滑油の給油を行うことができる。
【実施例１】
【００１０】
本発明の実施例の冷蔵庫の圧縮機は、負荷状況に応じて回転数を可変するインバータ制御される。負荷状況を示す一つの指標に外気温（冷蔵庫の外部の温度であり、冷蔵庫が置かれた部屋の温度のことである）がある。
【００１１】
外気温センサーで測定した外気温が高ければ（３５℃）負荷が大きいと判断し、外気温が低ければ（５℃）負荷が小さいと判断する。
【００１２】
この冷蔵庫では、従来と同様に、この外気温の測定値に応じて、圧縮機の回転数を決定する。従って、外気温が高ければ高回転とし、低ければ低回転とする。
【００１３】
しかし、始動時の所定時間は、外気温に関係なく制御する。
【００１４】
始動すると、最初の２０秒間は圧縮機を４８Ｈｚで回転させる。ちなみにこの圧縮機の最高回転数は６８Ｈｚである。この最初の２０秒間の回転数は、潤滑油を充分に給油できる回転数である。この最初の２０秒が経過すると、回転数を３２Ｈｚに落として４０秒間回転させる。この回転数は、潤滑油を充分に給油できない回転数である。その後、３０秒間を４３Ｈｚで回転させる。
【００１５】
その後は、外気温に応じて設定された回転数に設定される。
【００１６】
このように、この冷蔵庫は、ＯＮ−ＯＦＦサイクルにおけるＯＮ時（始動時）の１分３０秒間は、負荷に関係なく所定の動作を行う。
【００１７】
最初の２０秒間で潤滑油を給油させる。そして、その後の１分１０秒間で一旦回転数を下げて液バックを起こりにくくしている。
【００１８】
このように、始動時の外気温が高く圧縮機が高回転される場合でも、始動時の高回転の後に、強制的に一旦回転数を１分１０秒間下げているので、液バックの虞を小さくできる。
【００１９】
なお、本実施例では、負荷としては、外気温を例としてあげたが、本願はそれに限定される訳ではなく、外気温、冷蔵庫内の冷蔵室の現時点の温度、冷蔵庫内の冷蔵室の温度変化状態、冷蔵庫内の冷凍室の現時点の温度、冷蔵庫内の冷凍室の温度変化状態等から推測しても良い。
(57)【要約】【課題】家庭や飲食店などの厨房から発生する汚れた空気をスムーズに室外へ放出させると同時に、このとき喚起される空気の汚れによって付着する換気扇内の面倒な掃除を容易にすることを課題とする。【解決手段】換気扇を構成する部品として必要不可欠なファンを廃する事により、換気扇は簡素化し、掃除の効率化を図ることが出来る。空気の流れを可能にするには、自然の法則どおりに気圧を何らかの形で変化させること。つまり空気は気圧の高い方から低い方へ移動するという性質を利用した。おもいきり空気を回転させると、その中心部は超低圧になり空気を中心部へ引き寄せることが出来る。このため図2で示すように、室内或は厨房の空気は気圧の低い排気口の方に吸い寄せられて矢印のような流れになり、室外に排出されえる。【選択図】図１
2006234334.tif 000002
【特許請求の範囲】
【請求項１】
加熱器で調理中発生した煙や熱が室外に出される際、回転するファンを用いる換気扇では、調理する材料から出る、油分やすすがファン部に覆いつくされ掃除が大変である事などから、本案は微量なエアーを排気管内に流して空気の渦を発生させ、中心部を低圧にすることで、空気が室外に放出される、ファンもたない事を特徴とする換気扇。
【発明の詳細な説明】
【技術分野】
【０００１】
本発明は、ファンを使用する事がなく、容易に掃除が出来る換気扇に関するものである。
【背景技術】
【０００２】
通常の換気扇は、モーターを使用し回転する羽根の力で吸引する方法であるが、問題はこの時に付着する油脂やすすなどの掃除が困難であること。換気扇本体はもちろんの事、羽根等も外して洗浄するというわずらわしい問題は今でも解決に至っていない。
【０００３】
当開発品は、本体から羽根やモーターを取り除くことで、掃除をするその物がなくなり簡素化することで短時間で清掃が完了することを目的とした。また取り外しや組み立てし易いなど、比較的簡単な構造であることも考慮に入れた。
【０００４】
何もないところでは室内の空気を移動し得ないことなどから本開発は気圧の変化を利用することとした。竜巻の原理は「その中心部が異常な低圧になり周囲の空気が猛烈な勢いで中心部に引き込まれてゆく」と文献にある。だが、これは中心部が低圧になることが先決で、本開発はこれとは逆に周囲に竜巻のような空気の流れを創り、中心部の気圧を下げることで周囲の空気を引き入れるようにした。
【非特許文献１】藤田  哲也薯  「たつまき」
【０００５】
しかしながら、空気の噴射の勢いをあまり強くすると、コンプレッサーの容量を大きくしなければならないことと、空気の噴射音、つまり騒音が増えることが問題であった。またエアーの噴射角度についても吸引力が微妙なことである。
【発明の開示】
【発明が解決しようとする課題】
【０００６】
解決しようとする問題点は、渦を巻くエアーの量が少なくても吸引力が強く、また騒音が低い事である。
【課題を解決するための手段】
【０００７】
本発明は、噴射するエアーの角度と排気管中心部にもう一つのエアー噴射口を設けることで、少量のエアーでも吸引力を発揮させることに成功した。
【発明の効果】
【０００８】
本発明の換気扇は、2箇所からなるエアーの噴出により、吸引力を強化した。排気管中心部にあるエアーはもう一方の渦を巻く空気の流れを室外方向へしっかりと導き、中心部の気圧をより低く保つ事が出来る。このため噴射する風量も少ない量で強力に吸引する事ができた。
【発明を実施するための最良の形態】
【０００９】
コンプレッサーを小型化し、また低騒音の物を使用すると同時に、発電は自然にやさしい太陽電池などが期待される。
【実施例１】
【００１０】
図１は、本発明装置の断面a-a図であって、1は空気に渦巻きを発生させる為のエアーノズルで2は排気管中心部に設置された、中心部の気圧をさらに下げる為のエアーノズル。3は排気管である。
【００１１】
排気管の内側の形状は、何通りか検討したが、突起物などは風向性から見るとあまり好ましく無く、かえって滑らかな方がスムーズに空気が通る。
【００１２】
図2は、換気扇として部屋に取り付けたときの概略である。1は部屋の内側と外側を仕切る壁。2は、排気管から放出された汚れた空気を受け止めるためのガラリ。3は、排気管。4は、エアーを送るための配管。5は、エアーノズル。6は、汚れた空気が吸い込まれるときのフィルターで、機構の内部が見えずらい様にもなっている。また7は、油脂等が下に垂れなくするためのオイル溜まり。
【００１３】
図3は、本研究の参考図。
【図面の簡単な説明】
【００１４】
【図１】排気管内を示した説明図である。（実施例１）
【図２】換気扇の取り付け方を示した説明図である。（実施例２）
【図３】参考図
【符号の説明】
【００１５】
図1
１    渦巻き発生ノズル
２    中心ノズル
３    排気管
【００１６】
図２
１    壁
２    室外ダクト
３    排気管
４    エアーホース
５    エアーノズル
６    フィルター  
【図１】
2006234334.tif 000003
【図２】
2006234334.tif 000004
【図３】
2006234334.tif 000005